(57)【要約】【課題】電流波形の歪振動によるノイズを低減したインバータ装置を提供することを目的とする。【解決手段】１シャント方式を用いたインバータ装置において、電流センサに流れる電流を検出しなければならない場合にもＰＷＭＤＵＴＹパルスの出力タイミングをずらす頻度を落とすためにキャリア周期を逓倍し、逓倍したキャリア周期のうち、１回は電流検出のためにＤＵＴＹパルスの出力タイミングをずらし、残りはＤＵＴＹパルスの出力タイミングをずらさず、理想の正弦波に近づけ、かつ逓倍したキャリア数分のＰＷＭＤＵＴＹパルス幅が等しくなる構成により、音・振動を低減する効果を奏することができる。【選択図】図１
2012213277.tif 000002
【特許請求の範囲】
【請求項１】
直流電源と、前記直流電源で供給される直流を交流に変換するインバータ回路と、インバータ回路から出力されたＰＷＭ変調で駆動するモータと、前記直流電源と前記インバータ回路間の電流を検出する電流センサと、前記インバータ回路が前記モータへ出力すべき３相ＰＷＭ変調の交流電流値を前記電流センサで検出した電流値に基づき演算し前記インバータ回路に供給する電流制御装置と、前記インバータ回路のキャリア周期を決定する基本周波数発生装置を備え、
前記電流制御装置が、前記電流センサに流れる電流を検出する時に前記モータへ流れる電流が３相のうちいずれか２相に流れる電流値の差がある基準値以下の場合、前記電流制御装置から前期インバータ回路に供給される交流電流値を規定するＤＵＴＹパルスをキャリア周期の中心を基準に非対称とするインバータ装置であって、
インバータ回路に電流値を供給するための電流測定頻度と測定値に基づくＤＵＴＹ比演算回数の割合を変えずにキャリア周期を逓倍としたことを特徴とするインバータ装置。
【請求項２】
請求項１に記載の構成に加え、電流制御装置がＤＵＴＹパルス出力タイミング調整装置を備え、ＤＵＴＹパルス出力タイミング調整装置により、電流制御装置が出力電流（電圧）算出後の次の出力電流（電圧）算出まで、測定された電流値に基づき算出されたＤＵＴＹ比で出力されるＤＵＴＹパルスの立ち上がりから立ち上がりまで、またはパルスの中心から中心まで、またはパルスの立ち下がりから立ち下がりまでの時間が一定となるタイミングでＤＵＴＹパルスを出力することを特徴とするインバータ装置。
【発明の詳細な説明】
【技術分野】
【０００１】
本発明は、モータ駆動時の音や振動を低減させるための電動コンプレッサに用いられるインバータ装置に関するものである。
【背景技術】
【０００２】
いわゆるインバータ装置は、モーターに流れる電流値を読み取り、読み取った電流値に基づきパルス幅、即ち、ＤＵＴＹ比を算出し、算出されたＤＵＴＹ比のＤＵＴＹパルスをインバータ回路に出力し、このＤＵＴＹパルスによって直流から交流への変換を制御している。
【０００３】
この際、歪みのない交流波を生成するために、ＤＵＴＹパルスはインバータ回路の基本の制御周期であるキャリア周期の中心から左右対称となるタイミングで出力している。
【０００４】
一方、インバータ装置を小型化する方式として１シャント方式が知られている（例えば特許文献１）。インバータ装置では３相の交流電流を生成するため、各相に対し電流値を検出するためのセンサーが必要となるが、１シャント方式では１つのセンサーによって３相の電流値を測定する。
【０００５】
以下、図面を用いて１シャント方式のインバータ装置について説明する。図６は従来のインバータ装置の構成を示した図、図７は図６のインバータ回路６２からの出力波形を示す図、図８は図６のインバータ回路６２を制御するするためにＤＵＴＹパルス発生装置からインバータ回路６２に出力するＤＵＴＹパルスの概念を示す図、図９は、図８に示すＤＵＴＹパルスに対応してインバータ回路６２から出力される交流波の概略を説明する図である。
【０００６】
図６において、電流制御装置６５に設けられた電流読み取り装置は、インバーター装置内に設けられた１つの電流センサー６３からモーターに流れる電流値を読み取る。この測定は１つのセンサーを用いて行われているため、図７に示す一定領域、即ち、２相の電流値の差がある一定の値以下になる場合には、各相毎に正確な電流値を測定することができない。
【０００７】
そこで、１シャント方式では２相の電流値の差がある一定の値以下になる場合、各相の電流値を１つのセンサーで検出するために、ＤＵＴＹパルスをキャリア周波数の中心から非対称のタイミングで出力している。非対称のタイミングとすることにより出力の交流波形がゆがみ、騒音・振動の原因となっていいる。
【０００８】
図８において、２相の電流値の差が一定値以上に対応するｔ１、ｔ５ではキャリア周期の中心から対称なパルスをインバータ回路に出力し、一定値以下に対応するｔ２からｔ４では非対称となるタイミングでパルスを出力している。
【０００９】
図９は、このパルスに対応したインバータ回路からの出力波形を示している。
【先行技術文献】
【特許文献】
【００１０】
【特許文献１】特開２００３−１８９６７０号公報
【発明の概要】
【発明が解決しようとする課題】
【００１１】
１シャント方式における上記波形の歪みによる騒音は、例えば室内機と室外機を離れた場所に設置できる場合や、コンプレッサ装置の筐体に防振材、防音材を設けることによりある程度防止することが可能だが、車載機のような限られた空間でかつ軽量化が強く要求される環境では、この防振・防音を解決することは困難であった。
【００１２】
本発明は、上記従来の問題を解決するためになされたもので、車載のような限られた空間で用いられ、小型軽量化に適したインバータ装置を提供することを目的とする。
【課題を解決するための手段】
【００１３】
本発明のインバータ装置は、第１に、１シャント方式のインバータ装置において電流測定頻度と測定値に基づくＤＵＴＹ比演算回数の割合を変えずにキャリア周期を逓倍としたものである。
【００１４】
第２に、１シャント方式のインバータ装置において電流測定頻度と測定値に基づくＤＵＴＹ比演算回数の割合を変えずにキャリア周期を逓倍にすると共に、電流測定後の次の電流測定まで、測定された電流値に基づき算出されたＤＵＴＹ比でキャリア周期の中心から左右対称となるタイミングでＤＵＴＹパルスを出力するものである。
【発明の効果】
【００１５】
本発明によれば、第１に高性能な演算回路を用いることなく、騒音・振動の周波数が逓倍され可聴域周波数帯を超えて耳障りな音・振動をある程度軽減することができる。
【００１６】
第２に、電流値を測定するためにキャリア周期の中心から非対象としてＤＵＴＹパルスを発生する頻度、すなわち発生する期間を短くすることが可能なり、これによりインバータ回路から出力される波形の歪みを少なくし、騒音・振動を低減することが可能となる。
【図面の簡単な説明】
【００１７】
【図１】本発明の実施の形態におけるインバータ装置のブロック図
【図２】本発明における第１のＤＵＴＹパルス制御を表す図
【図３】本発明における第１のＤＵＴＹパルス制御と出力電流波形との関係を示す概念図
【図４】本発明における第２のＤＵＴＹパルス制御を表す図
【図５】本発明における第２のＤＵＴＹパルス制御と出力電流波形との関係を示す概念図
【図６】従来の１シャント方式を用いたインバータ装置のブロック図
【図７】従来の１シャント方式を用いたインバータ装置における出力電流波形図
【図８】従来のＤＵＴＹパルス制御を表す図
【図９】従来のＤＵＴＹパルス制御と出力電流波形との関係を示す概念図
【発明を実施するための形態】
【００１８】
以下、本発明の実施の形態におけるインバータ装置について図面を参照しながら説明する。
【００１９】
図１は本願発明における１シャント方式を用いたインバータ装置の構成を示すブロック図である。図において従来の構成と異なるのは、基本周波数発生装置６が任意の逓倍値に設定可能とした点と、電流制御装置５がＤＵＴＹパルス出力タイミング調整装置を備えた点、および基本周波数の逓倍に応じて、逓倍分の１で動作するように構成した点である。
【００２０】
まず、電流測定頻度及び出力電流算出装置の演算回数を変えずに、基本周波数発生装置
の発生周波数を２倍とした場合の動作について図２、図３を用いて説明する。
【００２１】
基本周波数発生装置のキャリア周波数が倍になれば、インバータ回路のスイッチング周波数が倍になり、結果として音・振動の周波数も倍になり、可聴域周波数帯を超えて耳障りがある程度軽減できる。理論上は、スイッチング周波数がおよそ２０ＫＨｚを超えればノイズは聞こえなくなる。
【００２２】
しかしながら、単にスイッチング周波数を倍にすると電流制御装置５の演算周期も倍になり、より高性能なマイコンを使用しなければならなく、低機能のマイコンでの実現は困難である。
そこで、本発明においては、キャリア周波数を倍にし、電流制御装置において、電流読み取り装置が行う電流検出と、出力電流（電圧）算出装置が行う演算を２キャリアに１回行う構成としている。
図２、図３は、従来技術の説明で用いた図８、図９に対応する図面であり、キャリア周期が２倍となっている点、すなわち、図９の１つのパルスが図３では２つのパルスによって構成されている点で異なる。
電流測定、およびＤＵＴＹ比の演算を２回に１回行っているため、１回の電流測定値に基づき算出されたＤＵＴＹ比が２パルスによって使用される。すなわち、同じパルス幅のパルス２つによって従来の１パルスが構成させる。
【００２３】
このように高性能な演算回路を用いることなく、キャリア周期を２倍とすることにより、騒音・振動の周波数も２倍され可聴域周波数帯を超えて耳障りな音・振動をある程度軽減することができる。
【００２４】
次に図４、図５を用いて、さらに改良された本願発明のインバータ装置の動作について説明する。図２、図３で開示した方法では、周波数自体が２倍となることにより騒音・振動は低減されるものの、電流値を測定するためにキャリア周期の中心から否対称のタイミングでＤＵＴＹパルスを出力することによる騒音・振動は改善されていない。
【００２５】
そこで改良された方法では、電流測定頻度と測定値に基づくＤＵＴＹ比演算回数の割合を変えずにキャリア周期を２倍とし、２回のキャリア周期に対し１回だけ電流値の測定とＤＵＴＹ比を算出し、電流測定後の次の電流測定まで、測定された電流値に基づき算出されたＤＵＴＹ比でキャリア周期の中心から左右対称となるタイミングでＤＵＴＹパルスを出力するようにしたものである。
【００２６】
図に示すようにｔ１ではパルスを非対称とすることなく電流値を測定することが可能であり、すなわち、キャリア周期の中心を軸としてパルス幅が対称となるタイミングで出力」し、続くｔ１‘でもｔ１と同じＤＵＴＹ比のパルスを対称となる形で出力する。
【００２７】
続く電流測定タイミングｔ２では測定のため非対称として出力し、このタイミングで測定した電流値に基づくＤＵＴＹ比を算出し、算出したＤＵＴＹ比と同じＤＵＴＹ比のパルスをｔ２‘ではＤＵＴＹパルス出力タイミング調整装置によりキャリア周期の中心から対称となるタイミングで出力する。
【００２８】
このようにして非対称となるパルスの頻度を下げることにより、インバータ回路からは歪みの少ない交流波が出力され、従来の非対称に基づく騒音・振動を防止することができる。
【００２９】
なお、実施の形態では２倍で説明したが、任意の逓倍に対し同様の制御を行うことで、騒音・振動を低減することができることは明らかである。
【産業上の利用可能性】
【００３０】
本発明は、モータ駆動時の音や振動を低減させるための電動コンプレッサ等として有用である。
【符号の説明】
【００３１】
５    電流制御装置
６    基本周波数発生装置
６２    インバータ回路
６３    電流センサー
６５    電流制御装置
【図１】
2012213277.tif 000003
【図２】
2012213277.tif 000004
【図３】
2012213277.tif 000005
【図４】
2012213277.tif 000006
【図５】
2012213277.tif 000007
【図６】
2012213277.tif 000008
【図７】
2012213277.tif 000009
【図８】
2012213277.tif 000010
【図９】
2012213277.tif 000011